(57)【要約】【課題】原稿の一部に原稿台から浮いた部分が存在する場合においても、光源の集光を良好に抑制し、良好な画像を得られるようにする。【解決手段】  光源ユニット１０は、光源ユニット１０の配列方向の射出面の長さをＤ、光源ユニット１０から出射される光の強度分布を測定したときに当該光の強度が最大値の半分になるときの方向を光源ユニット１０の射出面の垂直方向からみたときの角度である角度半値角をＡとしたときに、2008219837.tif 000014を満たす。【選択図】図３
2008219837.tif 000002
【特許請求の範囲】
【請求項１】
微小面積から光を発する光源部と当該光源部が発する光を反射する反射部とを有する光源ユニットを複数個配列してなる照明ユニットにおいて、
前記光源ユニットの前記配列方向の射出面の長さをＤ、前記光源ユニットから出射される光の強度分布を測定したときに当該光の強度が最大値の半分になるときの方向を前記光源ユニットの射出面の垂直方向からみたときの角度である角度半値角をＡとしたときに、
【数１】
2008219837.tif 000013
を満たすことを特徴とする照明ユニット。
【請求項２】
前記反射部は、前記光源部からの光を前記光源ユニットが配列する方向における光の広がりが原稿に対して略垂直となるように照射することを特徴とする請求項１に記載の照明ユニット。
【請求項３】
前記光源部は、反射型ＬＥＤであることを特徴とする請求項１又は２に記載の照明ユニット。
【請求項４】
前記反射部は、その反射面が拡散面であることを特徴とする請求項１〜３の何れかの一項に記載の照明ユニット。
【請求項５】
前記光源部と前記反射部との間に蛍光体が配置されている請求項１〜４の何れかの一項に記載の照明ユニット。
【請求項６】
前記光源ユニットとしてそれぞれ異なる色の光を発するものを複数個配列していることを特徴とする請求項１〜５の何れかの一項に記載の照明ユニット。
【請求項７】
原稿台上の原稿の画像を読み取る画像読取装置において、
前記原稿台の下方から前記原稿台上の原稿に対して光を照射する請求項１〜６の何れかの一項に記載の照明ユニットと、
光電変換素子と、
前記原稿での反射光を前記光電変換素子に結像させる結像素子と、
を備えていることを特徴とする画像読取装置。
【請求項８】
原稿の画像を読み取る画像読取装置と、
前記画像読取装置で読取った画像データに基づいて画像形成を行なう画像形成部と、
を備えている画像形成装置において、
前記画像読取装置は、請求項７に記載の画像読取装置であることを特徴とする画像形成装置。
【発明の詳細な説明】
【技術分野】
【０００１】
本発明は、照明ユニット、画像読取装置及び画像形成装置に関する。
【背景技術】
【０００２】
従来、画像読取装置の光源として一般的に用いられるキセノンランプ、ハロゲンランプ等の管灯は、消費電力が大きく、また、発熱が大きいことから、装置全体の温度を上昇させてしまう。画像読取装置内の温度上昇は、光学系の共役関係を崩し、光電変換素子からピントがずれて結像しなくなり、良好な画像を得られなくなることが問題になってきている。
そこで、キセノンランプ等の管灯に替わる新しい照明光源として、消費電力と発熱の少ないＬＥＤ光源を用いた照明ユニットが注目されるようになっている。
ＬＥＤ光源を用いた照明ユニットとして、例えば、特許文献１の技術では、ＬＥＤを一列に並べ、導光体を通して、原稿を照明する照明ユニットについて開示されている。
【０００３】
また別の公知技術としては、特許文献２に開示の技術においては、配列したＬＥＤの前に長尺のレンズ系を配置して、ＬＥＤの配列と直交する方向への照明の集光度を高くする照明ユニットについて開示されている。
さらに別の公知技術として、特許文献３では、ＬＥＤからの照明光を一度反射ミラーで反射させてから原稿を照射する照明ユニットについて開示されている。
【０００４】
図６は、画像読取装置のコンタクトらガラス１に載置された原稿２を示すたて断面図である。同図において、管灯、及びＬＥＤを用いた照明ユニット１０を用いた場合においても、画像読取装置における照明では、原稿に反射した光のうち同図に示すように原稿からの反射光が多い方向、つまり正反射方向では読み取らないことが一般的である。これは、正反射方向が、原稿からの反射だけでなく、原稿台の裏面からの反射も強く反射されるため、裏面の反射光の成分も光電変換素子に入射してしまうため、良好に画像を読み取ることが出来なくなるためである。
したがって、照明ユニット１０は、原稿面に対して、同図に示すように斜めに配置して原稿を照明し、原稿からの反射光のうち、原稿に対して垂直な方向の反射光を第１ミラー３Ｃで反射して光電変換素子で読み取るのが一般的である。こうすることにより、コンタクトガラス１の裏面からの反射光の影響をなくすことができる。
【０００５】
また、下記特許文献４には、ＬＥＤ光源を取り囲む照明系において、ＬＥＤから発光した光を効率よく原稿読取装置に適応させるライン照明系で、かつ原稿面の照明光量分布を中央部より周辺部を増加した原稿照明装置が開示されている。
さらに、下記特許文献５には、複数の発光素子チップの並びに沿った方向の照射ムラが小さいライン光源装置が記載されている。
【０００６】
【特許文献１】特開２００６−０２５３０３号公報
【特許文献２】特開２００５−２７８１３２号公報
【特許文献３】特開２００５−２４１６８１号公報
【特許文献４】特開２００５−２３４１０９号公報
【特許文献５】特許第３６４９９３９号公報
【発明の開示】
【発明が解決しようとする課題】
【０００７】
しかしながら、前述のように光を斜めから照明した場合であっても、図７（ａ）に示すような、例えば本ｂの綴じ部分などを読み取るとき、綴じてコンタクトガラス１よりも遠くの位置にある本ｂの綴じ部分の折れ曲がった部分に照射した光が、ある特定の角度において、図７（ａ）に示したように、正反射光が原稿台面の垂直方向に射出してしまう。そのため、正反射光が直接、光電変換素子に取り込まれ、その光量は通常原稿を読み取っているときの反射光の光量よりも大きすぎるために、読取り画像が白抜けしてしまうという不具合がある。
【０００８】
さらには、ＬＥＤを用いた照明ユニットでは、ＬＥＤそのものの像を画像読取装置で読み取ってしまうことになり、図７（ｂ）に示したように、本ｂなどの原稿の綴じ部付近の画像は、白くドット抜けしたようになり、良好に原稿情報を読み取ることが出来なくなってしまうという不具合がある。
【０００９】
この現象は、キセノンランプ等の管灯は拡散光源であることに起因して発生しにくく、指向性の強いＬＥＤ等で発生しやすい現象であり、また、密着型の等倍センサのように等倍結像素子自体の焦点深度が浅い場合では、指向性の強いＬＥＤ等を用いても発生しにくい現象であり、焦点深度の深い縮小系の光学系において見られる現象であること、さらに、光沢の強い原稿などの場合において顕著にみられる現象である。
【００１０】
ここで、特許文献５には、光源部と反射部とを用いた照明ユニットについて開示されているが、ここに記載されている照明ユニットは、原稿台に当接して配置された原稿面上での照明むらを低減させることを目的としているものである。また、光源ユニットの中心付近の平行についてはその平行の度合、また、周辺付近の発散についてもその発散の度合が示されておらず、さらに、どの付近までが中心付近であるのかについても示されていない。したがって、原稿台に当接した原稿面での照明むらを良好になくしたとしても、原稿台から離れた原稿面の正反射成分の影響を軽減させる手段については何等開示されてはいない。
そこで、本発明の目的は、原稿の一部に原稿台から浮いた部分が存在する場合においても、光源の集光を良好に抑制し、良好な画像を得られる画像読取装置及び画像形成装置を提供することである。
【課題を解決するための手段】
【００１１】
請求項１に記載の発明は、微小面積から光を発する光源部と当該光源部が発する光を反射する反射部とを有する光源ユニットを複数個配列してなる照明ユニットにおいて、前記光源ユニットの前記配列方向の射出面の長さをＤ、前記光源ユニットから出射される光の強度分布を測定したときに当該光の強度が最大値の半分になるときの方向を前記光源ユニットの射出面の垂直方向からみたときの角度である角度半値角をＡとしたときに、
【００１２】
【数１】
2008219837.tif 000003
を満たすことを特徴とする照明ユニットである。
【００１３】
請求項２に記載の発明は、請求項１に記載の照明ユニットにおいて、前記反射部は、前記光源部からの光を前記光源ユニットが配列する方向における光の広がりが原稿に対して略垂直となるように照射することを特徴とする。
請求項３に記載の発明は、請求項１又は２に記載の照明ユニットにおいて、前記光源部は、反射型ＬＥＤであることを特徴とする。
請求項４に記載の発明は、請求項１〜３の何れかの一項に記載の照明ユニットにおいて、前記反射部は、その反射面が拡散面であることを特徴とする。
請求項５に記載の発明は、請求項１〜４の何れかの一項に記載の照明ユニットにおいて、前記光源部と前記反射部との間に蛍光体が配置されている。
請求項６に記載の発明は、請求項１〜５の何れかの一項に記載の照明ユニットにおいて、前記光源ユニットとしてそれぞれ異なる色の光を発するものを複数個配列していることを特徴とする。
請求項７に記載の発明は、原稿台上の原稿の画像を読み取る画像読取装置において、前記原稿台の下方から前記原稿台上の原稿に対して光を照射する請求項１〜６の何れかの一項に記載の照明ユニットと、光電変換素子と、前記原稿での反射光を前記光電変換素子に結像させる結像素子と、を備えていることを特徴とする画像読取装置である。
請求項８に記載の発明は、原稿の画像を読み取る画像読取装置と、前記画像読取装置で読取った画像データに基づいて画像形成を行なう画像形成部と、を備えている画像形成装置において、前記画像読取装置は、請求項７に記載の画像読取装置であることを特徴とする画像形成装置である。
【発明の効果】
【００１４】
請求項１に記載の発明によれば、本などの綴じ部などの折れ曲がった原稿に当たって反射した正反射光が結像素子に入射したとしても、白抜けなどのデータの欠落を防ぎ、異常画像として発生することなく、良好な画像読み取りが可能となる。
請求項２に記載の発明によれば、光源ユニットの配列方向を原稿に対して略垂直にすることで、正反射光は結像素子の焦点距離付近に結像させることができ、光電変換素子上では、正反射光は発散し、各画素に入射する光量を低減できるため、白抜けなどのデータの欠落を防ぎ、異常画像として発生することなく、良好な画像読み取りが可能となる。
請求項３に記載の発明によれば、反射型ＬＥＤは、キセノンランプ等の管灯のように全周から光を射出せず、一方向に光を発することが可能であることから、管灯よりも光の利用効率が高く、消費電力を軽減させることが可能となる。
請求項４に記載の発明によれば、反射部の面を拡散面とすることにより、反射部からの光線の向きは不規則な方向に照射されるために、キセノンランプ等の管灯とほぼ同等まで、正反射光の影響による不良画像の発生を抑制することが可能である。光源ユニットからの射出光を原稿に対して略垂直に照射することとなり、光の利用効率は低下するが、キセノンランプ等の管灯に比べれば、高光利用効率、低消費電力を実現することは可能である。
請求項５に記載の発明によれば、フルカラーの画像情報を得るために必要となる色情報も読み取ることが可能となり、さらに、反射を用いて原稿に対して略垂直に照射させるようにしているため、レンズのように光を屈折させて垂直にさせるのとは異なり、波長の違いによる屈折の違いによる色にじみを発生することなく全面色むらのない照明ユニットを得ることができ、さらに、どの波長の光においても原稿からの特定の角度からの反射光が光電変換素子上で集光せず、良好に画像を読み取ることが可能となる。
請求項６に記載の発明によれば、複数色の光源ユニットを用いることにより、光電変換素子の赤（Ｒ）、緑（Ｇ）、青（Ｂ）の各フィルタに対応した色の光源を用いることで、光利用効率を上げて、フルカラーの画像情報を読み取ることも可能である。一般的にＬＥＤは、波長帯域が狭いため、光源ユニットとしては３色に限らず、別の色を増やして、原稿情報の色情報の再現性を高めることも可能である。
【発明を実施するための最良の形態】
【００１５】
以下、本発明の実施の形態について説明する。
図１は、本実施の形態の画像読取装置の説明図である。図１において、画像読取装置１００は、読取られるべき画像を有する原稿２が原稿台としてのコンタクトガラス１上に平面的に載置され、コンタクトガラス１の下部には照明手段を配置し、この照明手段としては後述する照明ユニット１０を用い、原稿２を斜め下方から照明する。
原稿２の照明された部分からの反射光（画像による反射光）は、第１走行体３に設けられた第１ミラー３Ｃにより反射された後、第２走行体４に設けられた第２ミラー４Ａ、第３ミラー４Ｂにより順次反射され、画像読取レンズ５を透過し、光電変換素子としてのラインセンサ６の撮像面上に原稿画像の縮小像として結像する。これらの第１、第２、第３ミラー３Ｃ、４Ａ、４Ｂは反射光学系を構成する。
【００１６】
第１走行体３、第２走行体４は、図示しない駆動手段により、それぞれ矢印方向（図１の右方）へ走行させられる。第１走行体３の走行速度はＶ、第２走行体４の走行速度はＶ／２であるものとする。この走行により、第１走行体３、第２走行体４は、それぞれ図１に破線で示す位置まで変位する。
照明ユニット１０は、第１走行体３と一体的に移動し、コンタクトガラス１上の原稿２の全体を照明走査する。
第１、第２走行体の移動速度比は“Ｖ：Ｖ／２”であるので、照明走査される原稿部分から画像読取レンズに至る光路長は不変に保たれる。
光電変換素子であるラインセンサ６は、色分解手段として赤（Ｒ）、緑（Ｇ）、青（Ｂ）のフィルタを持った光電変換素子（３Ａ、３Ｂ、３Ｃ）を、１チップに３列に配列させた３ラインＣＣＤ（３ラインのラインセンサ）であり、原稿２の照明走査に伴い、原稿画像を画像信号化する。このようにして原稿２の読取りが実行され、原稿２のカラー画像は、赤、緑、青の３原色に色分解して読取られる。
また、この画像読取装置１００は、画像をフルカラーで読み取る装置であって、画像読取レンズ５の結像光路中に設けられた色分解手段（前記３ラインＣＣＤに設けられた赤、緑、青のフィルタ）を有する。
【００１７】
なお、画像読取装置１００の他の形態として、コンタクトガラス上の原稿をスリット状に照明する照明手段と、ラインセンサと、原稿の被照明部からラインセンサに至る結像光路を形成する複数のミラーと、上記結像光路上に配置される画像読取レンズと、を相互に一体化した読取ユニットを、駆動手段により原稿に相対的に走行させることにより原稿を読取走査するようにした形態のものとしてもよい。
色分解は、上記とは別に、画像読取レンズとラインセンサ（ＣＣＤ）との間に色分解プリズムやフィルタを選択的に挿入し、Ｒ（赤）、Ｇ（緑）、Ｂ（青）に色分解する方法やＲ、Ｇ、Ｂの光源を順次点灯させ原稿を照明する方法を用いることができる。
【００１８】
図２は、図１に示す画像読取装置を用いた本実施の形態の画像形成装置の説明図である。
この画像形成装置は複写機である。この画像形成装置は、装置上部に位置する画像読取装置１００と、その下位に位置する画像形成部２００とを備えている。画像読取装置１００の部分は、図１を参照して説明したとおりの構成である。
画像読取装置１００の３ラインのラインセンサ（撮像手段）６から出力される画像信号は画像処理部１２００に送られ、画像処理部１２００において処理されて光書込み用の信号（イエロー・マゼンタ・シアン・ブラックの各色を書込むための信号）に変換される。
画像形成部２００は、潜像担持体として円筒状に形成された光導電性の感光体１１００を有し、その周囲に、帯電手段としての帯電ローラ１１１０、リボルバ式の現像装置１１３０、転写ベルト１１４０、クリーニング装置１１５０が配設されている。帯電手段としては帯電ローラ１１１０に代えてコロナチャージャを用いることもできる。
信号処理部１２００から書込み用の信号を受けて光走査により感光体１１００に書込みを行う光走査装置１１７０は、帯電ローラ１１１０と現像装置１１３０との間において感光体１１００の光走査を行う。
符号１１６０は定着装置、符号１１８０はカセット、符号１１９０はレジストローラ対、符号１２２０は給紙コロ、符号１２１０はトレイ、符号Ｓは記録媒体としての転写紙を示している。
【００１９】
画像形成を行うときは、光導電性の感光体１１００が時計回りに等速回転され、その表面が帯電ローラ１１１０により均一帯電され、光走査装置１１７０のレーザビームの光書込による露光を受けて静電潜像が形成される。形成された静電潜像は所謂ネガ潜像であって画像部が露光されている。
画像の書込みは、感光体１１００の回転に従い、イエロー画像、マゼンタ画像、シアン画像、黒画像の順に行われ、形成された静電潜像はリボルバ式の現像装置１１３０の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４０上に、転写電圧印加ローラ１１４Ａにより順次転写され、上記各色トナー画像が転写ベルト１１４０上で重ね合わせられてカラー画像となる。
転写紙Ｓを収納したカセット１１８０は、画像形成装置本体に脱着可能であり、装着された状態においては、収納された転写紙Ｓの最上位の１枚が給紙コロ１２２０により給紙され、給紙された転写紙Ｓはその先端部をレジストローラ対１１９０に捕えられる。
レジストローラ対１１９０は、転写ベルト１１４０上のトナーによるカラー画像が転写位置へ移動するのにタイミングを合わせて転写紙Ｓを転写部へ送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙Ｓをカラー画像に押圧させる。
カラー画像を転写された転写紙Ｓは定着装置１１６０へ送られ、定着装置１１６０においてカラー画像を定着され、図示されないガイド手段による搬送路を通り、図示されない排紙ローラ対によりトレイ１２１０上に排出される。各色トナー画像が転写されるたびに、感光体１１００の表面はクリーニング装置１１５０によりクリーニングされ、残留トナーや紙粉等が除去される。
なお、画像形成部２００の構成は、周知の単色画像形成用の構成（Ｋの１色など）としてもよい。
【００２０】
次に、画像読取装置１００の照明ユニット１０について、図３を用いて説明する。
図３（ａ）は、ＬＥＤ発光素子１１からの光を反射部１２で反射して原稿面側に光を照射する反射型のＬＥＤである光源ユニット１３を、単一の基板１４上に一列に並べた照明ユニット１０の説明図である。
この照明ユニット１０は、略放物面で構成された反射部１２の焦点位置にＬＥＤ発光素子１１を配置することにより、放物面の焦点から射出する光を原稿面方向と平行、つまり原稿面に垂直に射出させることが可能であるため、僅かながらでも面積をもつＬＥＤ発光素子１１から略ランバート分布で発散している光についても、原稿面に対して略垂直に照射させることが可能となり、ＬＥＤ発光素子１１が発光した光を照明光として有効に利用することができる。
ここで、縮小光学系を用いた画像読取装置においては、図７を参照して前述した正反射光成分の光の影響を軽減させるためには、光電変換素子上に集光させないことが必要である。
【００２１】
この光電変換素子上で集光させないための条件について、図４を参照して説明する。
図４に示すラインセンサ６は、複数のＣＣＤ画素１５が基板１６上に配列されて構成されている。
収束光線２０、２１は、図７を参照して説明した原稿としての本ｂからの正反射光が、図示していない結像素子で集光されている状態を表すものである。この収束光線がＣＣＤ画素１５上で集光してしまう場合、その画素に入射する光量が大きくなりすぎて、読み取った画像が白抜けしてしまう状態になる。収束光線２０、２１がＣＣＤ画素１５上で集光してしまう状態とは、光源が原稿面の極近傍にあるときに、結像素子により、ＣＣＤ画素上１５と共役関係となってしまう状態のことである。そこで、光源が原稿面の近傍よりも遠くの位置から照射することにより収束光線の結像位置は、結像素子の焦点位置の方（図４の左側）に持っていくことができる。
すなわち、光源を無限遠にする、つまり原稿に照射する光線を平行光にすることができれば、図中の収束光線２０、２１は、結像素子の焦点位置で集光し、ラインセンサ６上、ＣＣＤ画素１５上では発散し、大きくボケて、ＣＣＤ画素１５の各画素に入射する光量を軽減でき、画像が白く抜けるのを防止することが可能となる。
図４のΔＬＢが光源を原稿面から任意の距離だけ遠ざけたときの、ラインセンサ６上から集光位置までの距離を示す。
図４のδは、集光位置がΔＬＢずれた場合のラインセンサ６上での集光の広がりの幅を示す。
ここで、結像素子の焦点距離をｆ、ＦナンバをＦ、結像光学系の倍率をｍと置くと、ΔＬＢとδの関係は数２で示すことができる。
【００２２】
【数２】
2008219837.tif 000004
【００２３】
ラインセンサ６からΔＬＢだけずれた位置で結像するための結像光学系の倍率をｍ’とすると、ｍ’とδの関係は、数３で示すことができる。
【００２４】
【数３】
2008219837.tif 000005
【００２５】
数３の倍率ｍ’から、原稿面から光源位置までのずれ量ΔＬＡを求めると数４で示すことができる。
【００２６】
【数４】
2008219837.tif 000006
【００２７】
したがって、数４で示したΔＬＡの位置にある光源から原稿を照らすことにより、ラインセンサ６上では、正反射光の集光はδ広がることが分かる。δをラインセンサ６の配列方向の画素サイズＰの６倍に広がるようにすると、面積比では３６倍となるため、光量比は１／３６となり正反射光を約３％以下まで軽減させることができ、良好に画像を読み取ることができる。
δと配列方向の画素サイズＰとの関係（数５）より、ΔＬＡは数６に書き表せる。
【００２８】
【数５】
2008219837.tif 000007
【００２９】
【数６】
2008219837.tif 000008
数６で示したΔＬＡまで光源位置をずらせば、ラインセンサ６上では画像読み取りにおいて影響のない程度までボケさせることが可能となる。
以下に結像素子のｆ、Ｆ、ｍと画素サイズＰとΔＬＢ、ｍ’、ΔＬＡの計算結果を表１に示す。
【００３０】
【表１】
2008219837.tif 000009
【００３１】
表１で示したように、結像光学素子のＦナンバが明るくなれば、結像光学系の焦点深度が狭くなるため、必要なΔＬＡも短くて済むことが分かり、反対に結像光学素子の焦点距離が長くなれば結像光学系の深度が広くなるため、ΔＬＡも長くする必要があることが分かる。
また、使用する倍率にも比例し、倍率が小さくなれば、深度が狭くなるため同様にΔＬＡも短くて済むことが分かる。
上記計算結果の例より、ΔＬＡを１５ｍｍ以上遠くに設定することにより、正反射光の集光を良好に軽減することができる。
なお、ΔＬＡを長くすることは、照明ユニット１０の光源ユニット１３の発散角を狭くすることと同義に考えることができる。
図３（ｂ）に光源ユニットの拡大図を示す。図３（ｂ）の光源ユニット１３の射出面から任意の角度Ａで照射される光は、擬似的な発光位置Ｏから射出した光と同等と考えることができるため、光源ユニット１３の射出面から擬似的な発光位置Ｏまでの距離ΔＬＡは、光源ユニット１３をその配列方向の射出面の長さＤとの関係より、
【００３２】
【数７】
2008219837.tif 000010
【００３３】
で表すことができる。
ΔＬＡを１５ｍｍ以上（数８）とすることにより、半値角Ａ［ｒａｄ］と長さＤ［ｍｍ］の関係は数１で表すことができる。
【００３４】
【数８】
2008219837.tif 000011
【００３５】
【数９】
2008219837.tif 000012
【００３６】
したがって、この数１を満足する照明ユニット１０を用いることにより、原稿からの正反射光の集光を良好に軽減することが可能となる。
なお、ここで半値角Ａとは、図５に示すように、光源ユニット１３から出射される光の強度分布を測定したとき、光の強度が最大値の半分になる方向であり、光軸方向（光源ユニット１３の射出面に垂直方向）を基準として測った角度をいう。
例えば、長さＤが７ｍｍのときであれば、数１より半値角０．２３ｒａｄ（１３°）以下になるように光源ユニット１３の反射部１２を形成することにより、ラインセンサ６に入射する光量を問題の無い程度まで低減できるということを示している。
図３に示すように、反射部１２を拡散面にすれば、光源ユニット１０の射出面から不規則な光線が射出されるため、図７を参照して説明したような正反射光自体の光強度を低減させるのに有効である。
また、光源ユニット１０の光源部１１と反射部１２との間に蛍光体を配置するようにすれば、容易に白色光を得ることが可能となり、フルカラーの画像読み取りが可能となる。
さらに、それぞれ異なる色の光を発する単色の光源ユニット１０を複数個並べて、複数色の光源ユニット１０により原稿面上で合成した白色照明を成立させるようにしてもよく、各色別々に照射して色毎に順次画像の読取を行うことも可能である。
なお、より要求水準の厳しい照明ユニット１０に対しては、数１，５〜８の関係式を用いて、照明ユニット１０の配列方向の光の広がりを原稿面に対する照射角の垂直度を上げて、正反射光成分の発散を高くし、光量をさらに低減させることも可能である。
本発明は、原稿台となるコンタクトガラス１を用いる画像読取装置にかかわらず、第１、第２走行体３，４を任意の位置で固定し、原稿を送りながら読取る画像読取方式を用いる画像読取装置に適用しても、搬送中の原稿が反り、照明の正反射光が発生しうる場合において、前述と同様の効果が期待できる。
【図面の簡単な説明】
【００３７】
【図１】本発明の一実施の形態である画像読取装置の説明図である。
【図２】本発明の一実施の形態である画像形成装置の説明図である。
【図３】照明ユニットの説明図である。
【図４】ラインセンサの説明図である。
【図５】半画角の説明図である。
【図６】本発明の課題の説明図である。
【図７】本発明の課題の説明図である。
【符号の説明】
【００３８】
１  コンタクトガラス
２  原稿
６  ラインセンサ
１０  照明ユニット
１１  光源部
１２  反射部
１３  光源ユニット
【図１】
2008219837.tif 000015
【図２】
2008219837.tif 000016
【図３】
2008219837.tif 000017
【図４】
2008219837.tif 000018
【図５】
2008219837.tif 000019
【図６】
2008219837.tif 000020
【図７】
2008219837.tif 000021